(57)【要約】【課題】本発明は、圧縮機用ヒータに関するものであって、圧縮機の内部に流入する液冷媒を気化させるヒータ及び圧縮機の内部の冷媒温度を測定するセンサ部の設置が簡便になる圧縮機用ヒータを提供するためのものである。【解決手段】本発明は、圧縮機ケーシングと、前記圧縮機ケーシングの外周面に接するセンサ部と、前記圧縮機ケーシングの外周面を囲み、前記圧縮機の内部に流入する液冷媒を気化させるヒータと、前記ヒータに設けられて、前記センサ部が設けられるセンサ設置部と、を含むことを特徴とする圧縮機を提供する。 【選択図】図３
2008157605.tif 000002
【特許請求の範囲】
【請求項１】
圧縮機ケーシングと、
前記圧縮機ケーシングの外周面に接するセンサ部と、
前記圧縮機ケーシングの外周面を囲み、前記圧縮機の内部に流入する液冷媒を気化させるヒータと、
前記ヒータに設けられて、前記センサ部が設けられるセンサ設置部と、
を含むことを特徴とする圧縮機。 
【請求項２】
前記ヒータは、前記圧縮機ケーシングの外周面を包むベルト部と、
前記ベルト部の内部に受容される電熱線とを含み、
前記センサ部設置部は、前記ベルト部の一端に設けられ、かつ、前記電熱線と離隔して前記センサ部が挿入されて固定される挿入孔から構成されることを特徴とする請求項１に記載の圧縮機。 
【請求項３】
前記ベルト部の長さは、前記圧縮機ケーシングの外周面の周りより小さく形成されて、前記ベルト部の両端には前記ベルト部の両端を連結して前記ベルトがケーシングの外周面に固定できるようにする連結部材がかかる係止部材が設けられることを特徴とする請求項２に記載の圧縮機。 
【請求項４】
前記ベルト部の一端部には第１係止部材が設けられ、
前記ベルト部の他端部には第２係止部材が設けられ、
前記第１係止部材は、前記ベルト部の内面に設置され、前記第２係止部材は、前記ベルト部の外面に設けられて互いに行き違うように設けられることを特徴とする請求項３に記載の圧縮機。 
【請求項５】
前記電熱線と連結されて前記ベルト部の外部に延びる電線部を更に含み、
前記電線部は、前記連結部材との干渉が発生することを防止するように前記連結部材が固定される前記第１係止部材と離隔して設けられて連結されることを特徴とする請求項４に記載の圧縮機。 
【請求項６】
前記挿入孔は、前記電熱線と前記第２係止部材との間に設けられることを特徴とする請求項４に記載の圧縮機。 
【請求項７】
前記連結部材は、両端に係止フックが設けられたコイルスプリングから構成されることを特徴とする請求項３に記載の圧縮機。 
【請求項８】
圧縮機ケーシングの外周面に接触するセンサ部と、
前記センサ部が挿入され、前記圧縮機ケーシングの外周面を囲むベルト部と、
前記ベルト部の内面に受容されて前記圧縮機ケーシングを加熱させて冷媒を気化させる電熱線を含むことを特徴とする圧縮機用ヒータ。
【請求項９】
前記ベルト部には、前記センサ部が挿入されて固定される挿入孔が設けられることを特徴とする請求項８に記載の圧縮機用ヒータ。
【請求項１０】
前記ベルト部の長さは、前記圧縮機ケーシングの外周面の周りより短く形成され、前記ベルト部の両端には前記ベルト部を連結して前記ベルト部を前記圧縮機ケーシングの外周面に固定させる連結部材が連結されることを特徴とする請求項８に記載の圧縮機用ヒータ。
【請求項１１】
前記係止部材は、前記ベルト部の一端部に設けられて前記連結部材の一端部がかかる第１係止部材と、前記ベルト部の他端部に設けられて前記連結部材の他端部がかかる第２係止部材とを含み、
前記第１係止部材は前記ベルト部の内面に設けられ、前記第２係止部材は前記ベルト部の外面に設けられることを特徴とする請求項１０に記載の圧縮機用ヒータ。
【請求項１２】
前記ベルト部には前記電熱線に電気を供給する電線部が設けられ、
前記電線部は、前記連結部材と干渉しないように前記第１係止部材と離隔して設けられることを特徴とする請求項１１に記載の圧縮機用ヒータ。
【請求項１３】
前記挿入孔は、前記電熱線と前記第２係止部材との間に設けられることを特徴とする請求項１１に記載の圧縮機用ヒータ。
【請求項１４】
前記連結部材は、両端に係止フックが設けられるコイルスプリングから構成されることを特徴とする請求項１０に記載の圧縮機用ヒータ。
【発明の詳細な説明】
【技術分野】
【０００１】
本発明は、圧縮機用ヒータに関するものであって、圧縮機の内部に流入する液冷媒を気化させるヒータと圧縮機の内部の冷媒温度を測定するセンサ部との設置が簡便になる発明を提供している。
【背景技術】
【０００２】
従来の発明から見れば、圧縮機１のケーシング２の下部を囲むベルト形態のヒータ３と、前記ヒータ３と離隔され、前記ヒータ３の上部に設けられて、前記圧縮機１の内部の冷媒温度及び圧力を測定するセンサ部１０が設けられるが、前記センサ部１０は、円筒形で設けられて、金属性のブラケット１２により支持され、該ブラケット１２の両端部は第１コイルスプリング１５により前記圧縮機１の前記ケーシング２の外周面に固定される。
【０００３】
一方、前記ヒータ３は、前記圧縮機１の前記ケーシング２の外周面を囲むシリコン材質のベルト部５と、該ベルト部５の内部に設けられて発熱作用をする電熱線６と、該電熱線６と連結されて該電熱線６に電源を供給する電線部７とを含んでいる。
【０００４】
一方、ベルト部５の長さは前記圧縮機１の前記ケーシング２の周りより短く形成されるので、前記ベルト部５の両端を繋いでおり、前記ベルト部５が下がらないように固定させる連結部材が必要であるが、このような連結部材は、第２コイルスプリング２０から構成され、前記ベルト部５の両端には前記第２コイルスプリング２０の両端がかかることができるようにする係止部材８が設けられ、このような係止部材８は両方とも前記ベルト部５の外側に設けられている。
【０００５】
このような構成では、前記ヒータ３と前記センサ部１０とを各々別に設置しなければならないので、設置時間が遅延されるという問題点があり、前記コイルスプリングが２つずつ必要であり、前記センサ部１０の設置のみのためのブラケット１２が設けられなければならず、製造コストを低減することに限界があった。
【０００６】
また、前記電熱線６に電源を供給する電線が第１コイルスプリング１５や前記第２コイルスプリング２０に縺れたり、前記センサ部１０を固定させる前記ブラケット１２の縁部分と接触して切断される虞もあった。 
【発明の開示】
【発明が解決しようとする課題】
【０００７】
本発明は、このような問題を解決するためのものであって、ヒータとセンサ部の設置時間及び設置に必要な部品のコストを低減させることをその目的とする。
【０００８】
また、本発明は、電熱線と連結される電線部が他の構成要素と接触して縺れたり切断できる危険性を未然に遮断することを更に他の目的とする。 
【課題を解決するための手段】
【０００９】
このような目的を達成するための本発明は、圧縮機ケーシングと、前記圧縮機ケーシングの外周面に接するセンサ部と、前記圧縮機ケーシングの外周面を囲み、前記圧縮機の内部に流入する液冷媒を気化させるヒータと、前記ヒータに設けられて、前記センサ部が設けられるセンサ設置部と、を含むことを特徴とする圧縮機を提供する。 
【００１０】
また、前記ヒータは、前記圧縮機ケーシングの外周面を包むベルト部と、前記ベルト部の内部に受容される電熱線とを含み、前記センサ部設置部は、前記ベルト部の一端に設けられ、かつ、前記電熱線と離隔して前記センサ部が挿入されて固定される挿入孔から構成されることを特徴とする。
【００１１】
また、前記ベルト部の長さは、前記圧縮機ケーシングの外周面の周りより小さく形成されて、前記ベルト部の両端には前記ベルト部の両端を連結して前記ベルトがケーシングの外周面に固定できるようにする連結部材がかかる係止部材が設けられることを特徴とする。
【００１２】
また、前記ベルト部の一端部には第１係止部材が設けられ、前記ベルト部の他端部には第２係止部材が設けられ、前記第１係止部材は、前記ベルト部の内面に設置され、前記第２係止部材は、前記ベルト部の外面に設けられて互いに行き違うように設けられることを特徴とする。
【００１３】
また、前記電熱線と連結されて前記ベルト部の外部に延びる電線部を更に含み、前記電線部は、前記連結部材との干渉が発生することを防止するように前記連結部材が固定される前記第１係止部材と離隔して設けられて連結されることを特徴とする。
【００１４】
また、前記挿入孔は、前記電熱線と前記第２係止部材との間に設けられることを特徴とする。
【００１５】
また、前記連結部材は、両端に係止フックが設けられたコイルスプリングから構成されることを特徴とする。
【００１６】
そして、本発明は、圧縮機ケーシングの外周面に接触するセンサ部と、前記センサ部が挿入され、前記圧縮機ケーシングの外周面を囲むベルト部と、前記ベルト部の内面に受容されて前記圧縮機ケーシングを加熱させて冷媒を気化させる電熱線を含むことを特徴とする圧縮機用ヒータを提供する。
【００１７】
また、前記ベルト部には、前記センサ部が挿入されて固定される挿入孔が設けられることを特徴とする。
【００１８】
また、前記ベルト部の長さは、前記圧縮機ケーシングの外周面の周りより短く形成され、前記ベルト部の両端には前記ベルト部を連結して前記ベルト部を前記圧縮機ケーシングの外周面に固定させる連結部材が連結されることを特徴とする。
【００１９】
また、前記係止部材は、前記ベルト部の一端部に設けられて前記連結部材の一端部がかかる第１係止部材と、前記ベルト部の他端部に設けられて前記連結部材の他端部がかかる第２係止部材とを含み、前記第１係止部材は前記ベルト部の内面に設けられ、前記第２係止部材は前記ベルト部の外面に設けられることを特徴とする。
【００２０】
また、前記ベルト部には前記電熱線に電気を供給する電線部が設けられ、前記電線部は、前記連結部材と干渉しないように前記第１係止部材と離隔して設けられることを特徴とする。
【００２１】
また、前記挿入孔は、前記電熱線と前記第２係止部材との間に設けられることを特徴とする。
【００２２】
また、前記連結部材は、両端に係止フックが設けられるコイルスプリングから構成されることを特徴とする。
【発明の効果】
【００２３】
本発明によれば、ベルト形態のヒータに前記センサ部が挿入固定されることにより、従来の技術に比べて必要な所要部品数を減らすことができるので、製造コストを低減することができ、その装着過程もまた一部分が省略できるので、装着所要時間も減らすことができるという長所がある。
【００２４】
また、ヒータを固定するコイルスプリングとヒータに電源を供給する電線部との間の接触または干渉が防止できるので、電線部がコイルスプリングと縺れる現象が防止できるので、電線部の損傷が予防できる効果も得られる。
【発明を実施するための最良の形態】
【００２５】
以下、添付した図面を参照しつつ本発明の好ましい実施形態に対して説明する。 
【００２６】
図２に示すように、圧縮機３０のケーシング３２の下部外周面にはヒータ３３が設けられ、前記ヒータ３３にはセンサ部４５が挿入されて固定される。
【００２７】
前記ヒータ３３の具体的な構成を見れば、前記ヒータ３３の見掛けを形成し、前記圧縮機３０のケーシング３２の外周面を囲むベルト部３４と、前記ベルト部３４の内部に設けられて発熱作用をすることにより、前記圧縮機ケーシングの内部に流入する液冷媒を気化させる電熱線３５と、前記電熱線３５と連結され、前記電熱線３５に外部電源を供給する電線部３６とを含んでいる。
【００２８】
前記ベルト部３４の長さは、前記ケーシング３２の周りの長さより短く形成されるため、前記ベルト部３４の両端には連結部材が連結されて前記ベルト部３４が前記ケーシング３２の外周面を囲んだままに、下方に下がらないようにするが、ここで、前記連結部材は弾性力のあるコイルスプリング４０で構成されることが好ましい。
【００２９】
したがって、前記ベルト部３４の両端には前記コイルスプリング４０の両端がかかって固定できる係止部材４１が取り付けられるが、後述するように、前記係止部材４１は、前記コイルスプリング４０と前記電線部３６との間に干渉が発生しないように各々前記ベルト部３４の内面と外面に設けられている。
【００３０】
そして、前記ベルト部３４の一端部にはセンサ設置部が設けられるが、前記センサ設置部には、前記センサ部４５が挿入されて固定できる挿入孔４８で設けられることが好ましくて、前記挿入孔４８は前記電熱線３５と一定間隔離隔されなければならない。
【００３１】
図３に示すように、前記ベルト部３４の両端に設けられる係止部材４１は、前記ベルト部３４の内面に設けられる第１係止部材４１ａと、前記ベルト部３４の外面に設けられる第２係止部材４１ｂとを含んであり、前記第１、２係止部材４１ａ、４１ｂには前記コイルスプリング４０の両端に形成された係止フック４０ａ、４０ｂが挿入されて固定できる固定孔４２（４２ａ、４２ｂ）が設けられている。
【００３２】
一方、前記センサ部４５は円筒形で形成され、前記挿入孔４８はこのようなセンサ部４５の大きさと形状に対応するように円形で構成されるが、前記挿入孔４８の位置は前記電熱線３５と前記第２係止部材４１ｂとの間に形成されることが好ましい。 
【００３３】
前記電熱線３５と連結される電線部３６は、前記ベルト部３４の端部の中、前記第１係止部材４１ａが設けられた部分の側面に連結されるが、この際、前記電線部３６が連結されている部分と前記第１係止部材４１ａが設けられた部分は一定間隔離隔する。
【００３４】
したがって、前記第１係止部材４１ａが前記ベルト部３４の内面に設けられ、前記電線部３６と離隔しているため、前記第１係止部材４１ａの固定孔４２ａにかかる前記コイルスプリング４０と前記電線部３６が干渉したり縺れる現象を防ぐことができる。 
【００３５】
即ち、前記コイルスプリング４０が前記第１係止部材４１ａと前記第２係止部材４１ｂとを連結することになれば、前記第２係止部材４１ｂが設けられたベルト部３４の端部は、前記第２係止部材４１ｂより内側に位置するため、前記ケーシング（図２参考）３２方向に向くことになるが、前記第１係止部材４１ａが設けられたベルト部３４の端部は、第１係止部材４１ａより外側に存在するため、自然に前記ケーシング３２の外側方向に向くことになり、このような構成により、前記電線部３６は前記コイルスプリング４０と干渉したり接触する可能性が未然に防がれるものである。 
【００３６】
図４は、本発明の制御ブロック図であって、空気調和機の制御部４６の入力端には前記センサ部４５と、電源を供給する電源部５０と、空気調和機が操作できる操作部５５が連結される。
【００３７】
そして、前記制御部４６の出力端には、前記ヒータ３３を作動させるヒータ作動部６０、圧縮機を駆動させる圧縮機駆動部６５、室内機の室内ファンを作動させる室内ファン駆動部７０、及び室外機の室外ファンを作動させる室外ファン駆動部７５が連結される。
【００３８】
したがって、前記センサ部４５により感知された圧縮機の内部の冷媒温度と圧力など、冷媒の特性に対する情報が前記制御部４６に入力されれば、前記制御部４６はそのような情報に基づいて圧縮機の内部に流入する冷媒状態が液冷媒状態であるかどうかを点検し、液冷媒状態であると判断されれば、前記ヒータ３３を作動させて液冷媒を気化させることで、液冷媒による圧縮機の異常作動または破損を防ぐことができる。 
【００３９】
以下、本発明のヒータ及びセンサ部を装着する過程と前記ヒータ及び前記センサ部の動作に対して説明する。
【００４０】
図２と図３に示すように、前記圧縮機３０の下部外周面を前記ヒータ３３で丸く囲み、前記コイルスプリング４０の係止フック４０ａ、４０ｂを前記第１、２係止部材４１ａ、４１ｂに各々かかることになれば、前記コイルスプリング４０の弾性復元力により、前記ベルト部３５の端部の間隔が狭くなりながら前記ヒータ３３が前記圧縮機３０の外周面に堅く固定されて下に下がらないことになる。
【００４１】
その状態で、前記電熱線３５と前記第２固定部材４１ｂとの間に設けられた前記挿入孔４８に前記センサ部４５を挿入させて固定させれば、前記圧縮機３０に前記ヒータ３３及び前記センサ部４５の装着が完了する。
【００４２】
この状態で、前記電線部３６が連結される部分には、前記第１係止部材４１ａが前記ベルト部３４の内面に取り付けられているので、前記第１係止部材４１ａにかかって固定されるコイルスプリング４０と接触または干渉することが防止されて、このような干渉または接触による電線部３６の切断または損傷が防止される。 
【００４３】
図５は、本発明によるヒータ及びセンサ部が装着された空気調和機を図示したものであって、室外気には圧縮機３０と前記圧縮機３０に流入する冷媒を液状冷媒と気状冷媒に分離するアキュムレータ１０３、前記圧縮機３０から吐出された冷媒の流れを調節する四方バルブ１０５、前記四方バルブ１０５と連結された室外熱交換器１０７及び前記室外熱交換器１０７に外部空気を吸入させ、また排出させる室外送風ファン１０９、及び室外熱交換器１０７を通過した冷媒を減圧膨脹させる膨脹バルブ１１１が設けられる。
【００４４】
そして、室内機１２０には、室内熱交換器１２２と、前記室内熱交換器１２２に空気を吸込させる室内送風ファン１２５とが設けられる。
【００４５】
したがって、空気調和機が冷房作用をする場合、圧縮機３０が作動して冷媒を高温高圧で圧縮すれば、圧縮された高温高圧の冷媒は室外熱交換器１０７を経て凝縮され、凝縮された冷媒は前記膨脹バルブ１１１を経ながら減圧膨張されて低温の液状冷媒となる。
【００４６】
以後、前記膨脹バルブ１１１から吐出された冷媒は、前記室内熱交換器１２５に流入し、室内空気と熱交換しながら蒸発し、蒸発した冷媒は前記アキュムレータ１０３で液状状態の冷媒と気体状態の冷媒と液体状態の冷媒に分離され、気体状態の冷媒はまた圧縮機３０に流入する。
【００４７】
ところが、このような空気調和機の作動が停止した以後には、前記圧縮機３０の温度が低下し、これによって、前記圧縮機３０の内部に液冷媒が流入する場合があり、このような液冷媒が流入した状態で、前記圧縮機３０が駆動することになれば、前記圧縮機３０の内部の装置が駆動することに大きい抵抗が発生して、結局、前記圧縮機３０が異常作動する危険性がある。
【００４８】
したがって、前記センサ部４５が前記圧縮機３０の内部の冷媒の温度及び冷媒の圧力を測定し、このような冷媒の温度及び圧力情報が前記制御部（図４参考）４６に送信されれば、制御部４６ではこのような情報に基づいて冷媒の状態が気状であるか液状であるかを判断する。
【００４９】
そして、冷媒の状態が気状であると判断されれば、前記ヒータ３３の電熱線３５に電源を印加して発熱させて液状の冷媒を気化させて気状に変換させる。 
【図面の簡単な説明】
【００５０】
【図１】従来の技術を示す側面図である。
【図２】本発明に係るヒータとセンサ部を示す側面図である。
【図３】本発明に係るヒータとセンサ部を示す斜視図である。
【図４】本発明の制御ブロック図である。
【図５】本発明によるヒータとセンサ部が設けられた空気調和機の概略図である。
【符号の説明】
【００５１】
３３    ヒータ
３４    ベルト部
３５    電熱線
３６    電線部
４０    コイルスプリング
４１ａ、４１ｂ    第１、２係止部材
４５    センサ部
４８    挿入孔
【図１】
2008157605.tif 000003
【図２】
2008157605.tif 000004
【図３】
2008157605.tif 000005
【図４】
2008157605.tif 000006
【図５】
2008157605.tif 000007